(57)【要約】【課題】紙のラベルのように柔軟性を有し、かつ識別コードを自由に書き換え可能な識別コードを自由に書き換え可能な識別コード表示体において、識別コードを表示する表示体の構成を簡易なものとし、材料構成を減らし、形成を単純にすることで、サイズを小さくし、重量を軽減すること。さらに安価な識別コード表示パネルを提供すること。【解決手段】  コントラストの異なる２色表示可能な絶縁基板にバーコードのバー又はスペースの最も細い幅を最小単位とし、筋状に導電性膜を形成する工程と、電界の印加により移動する粒子を含む電気泳動マイクロカプセルを塗工する工程、電気泳動マイクロカプセル面に全面導電性膜が形成された絶縁基板の導電性膜面を貼り合せる工程を有する識別コード表示パネルを提供できる。【選択図】図２
2008224838.tif 000002
【特許請求の範囲】
【請求項１】
絶縁基板にバーコードのバー又はスペースの最も細い幅を最小単位とし、筋状に導電性膜が形成されており、電界の印加により移動する光学反射特性が異なる２種類以上の粒子を含む電気泳動マイクロカプセルが塗工されているマイクロカプセル面に全面導電性膜が形成された絶縁基板が貼り合わされている識別コード表示パネル。
【請求項２】
絶縁基板にバーコードのバー又はスペースの最も細い幅を最小単位とし、筋状に導電性膜を形成する工程、電界の印加により移動する光学反射特性が異なる２種類以上の粒子を含む電気泳動マイクロカプセルを塗工する工程、マイクロカプセル面に全面導電性膜が形成された絶縁基板を貼り合せる工程を含むことを特徴とする請求項１記載の識別コード表示パネルの製造方法。
【請求項３】
表示させたい文字情報を入力する機能、文字情報をバー情報に演算する機能、電気泳動マイクロカプセルに電荷を印加する機能を有する識別コード切替え装置を、請求項１記載の識別コード表示パネルの筋状の導電性膜端部分にコンタクトされていることを特徴とする識別コード表示体。
【発明の詳細な説明】
【技術分野】
【０００１】
本発明は、商品の管理等を行う識別コードの中で、バーコードを表示する表示体に関し、さらには、表示内容を書き換え可能な識別コード表示体に関する。
【背景技術】
【０００２】
従来から、商品の管理等に用いるために、アルファベット、数字、記号などを一定のアルゴリズムに従って一次元の白黒のパターンに置き換え、コンピュータにデジタルで入力出来るようにしたバーコードが用いられている。このような識別コードは、一般的には、ダンボール等の包装材に印刷をしておくか、ラベル（シール）に印刷しておき、包装材に貼り付けて使用するものである。
【０００３】
しかしながら、このような従来の識別コード表示体は、いったん使用した後は、内容物が変更されてしまうと同じコードは再利用ができない。そこで、例えば、特許文献１に識別コード情報が入力される入力手段と、前記識別コード情報に基づき識別コード画像を表示する柔軟性を有する表示手段を具備することを特徴とする識別コード表示体が提案されている。
【０００４】
この識別コード表示体には、表示内容を変更することが可能であり、何度でも利用できるものであること。また、ベース基材を柔軟性のあるもので形成することにより屈曲可能で、従来の紙のバーコードと同様に曲面等にも取付け可能であること。さらに電源を切ってもそのまま表示画像が残存するので、データ書換えの際にのみ電源を入れればよく、電源の消費が少なくてすむことが記されている。
【０００５】
特許文献等は以下の通り。
【特許文献１】特開２００３−８４３１６
【発明の開示】
【発明が解決しようとする課題】
【０００６】
しかしながら、この識別コード表示体では、識別コードを表示する表示体の構成が、赤外線入力部、タイマー、演算装置、表示制御部、表示部で構成されているため、識別コードを表示するパネルの構成が複雑であるため、サイズが大きく、重量も嵩みパネル数量が増えると嵩張り、かなりの重量となる為、識別コード表示パネルの数量を制限して使用せざるをえない場合が生じた。また構成する部品が多いため、価格も高くなっていた。そこで、本発明が解決しようとする課題は、識別コード表示パネル部の構成を簡素化し、小型かつ軽量で、安価な識別コード表示パネルを提供することである。
【課題を解決するための手段】
【０００７】
本発明はかかる問題点を達成すべくなされたものである。
【０００８】
請求項１および２の発明は、絶縁基板にバーコードのバー又はスペースの最も細い幅を最小単位とし、筋状に導電性膜を形成する工程、電界の印加により移動する光学反射特性が異なる２種類以上の粒子を含む電気泳動マイクロカプセルを塗工する工程、電気泳動マイクロカプセル面に全面導電性膜が形成された絶縁基板を貼り合せる工程を含むことを特徴とすることで、識別コード表示パネルの構成を簡略化し、前記課題を解消するものである。
【０００９】
この場合のバーコードは、細バー（ナローバー）、細スペース（ナロースペース）を基
準の幅とし、その倍数の幅とする太バー（ワイドバー）、太スペース（ワイドスペース）の組合わせにより形成されるため、細バーもしくは細スペースの幅で導電性膜を形成することで、太バーと太スペースも表現できるため、本願では導電性膜をバー又はスペースの最も細い幅を最小単位とするものである。
【００１０】
また、請求項３の発明は、表示させたい文字情報を入力する機能、文字情報をバー情報に演算する機能、電気泳動マイクロカプセルに電荷を印加する機能を有する識別コード切替え装置を、請求項１で形成された識別コード表示パネルの筋状の導電性膜端部分にコンタクトさせ、識別コードパネルの表示を切替え表示することができる識別コード表示体を提供することで、前記課題を解消するものである。
【発明の効果】
【００１１】
請求項１および２の発明によって、識別コード表示パネルの構成が簡略化され、小型、軽量化がはかれる。また部材口数が減り、製造方法が簡略化されることで、低コスト化がはかれる。
【００１２】
このことは、従来技術では、識別コード表示パネルの構成が、入力部、ＣＰＵ、タイマー、表示制御部、表示部で構成されていたが、本願では、ＣＰＵ、表示制御部等の機能を識別コード切替装置に持たせ、識別コード表示パネルは、表示部のみの構成とし、もっとも単純な機能だけに集約したことによる。
【００１３】
また、請求項３の発明によって、小型、軽量化と低コスト化がはかられた識別コード表示パネルに対し、識別コードの表示書替えを行うことができ、結果、識別コード表示体としても表示パネルの重量を一般的な紙ラベルのように小型、軽量化され、識別コード表示パネルの数量を制限しなくて良い識別コード表示体を提供できる。
【発明を実施するための最良の形態】
【００１４】
次に本発明を図示の実施の形態に基づいて詳細に説明する。
【００１５】
（表色電気泳動マイクロカプセルの作成）
本発明において、まず、テトラクロロエチレン溶媒に、溶液中で負に帯電するポリエチレン樹脂で表面被覆した平均粒径３μｍの酸化チタンと溶液中で正に帯電するアルキルトリメチルアンモニウムクロライド「Ｒ（ＣＨ3）３Ｎ＋ＣＬ-（但し、Ｒはアルキル基）」で表面処理したクロ着色粒子（Ｐｉｇｍｅｎｔ  Ｂｌａｃｋ）（１３Ｂｋ）とが分散された分散液を作成した。
【００１６】
分散液について、４０℃に調整された水にゼラチンと乳化材としてドデシル硫酸ナトリウムを配合した水溶液と混合し、液温を４０℃に保ちながらホモジナイザーを用いて攪拌、Ｏ／Ｗエマルションを得た。
【００１７】
ついで、得られた各Ｏ／Ｗエマルションと４０℃に調整された水にアラビアゴムを配合した水溶液とをディスパーを用いて混合し、各溶液の液温を４０℃に保ちながら、酢酸を用いて溶液のｐＨを調整、コアセルベーションによりマイクロカプセル殻（１４）を形成した。さらに各液温を５℃に調整、ホルマリン溶液を加え水酸化ナトリウムを用いて溶液のｐＨを調整した。そして、攪拌しながら各液温を５０℃に調整することでマイクロカプセル殻を硬化させ、白色及びクロ着色粒子が分散した分散液を封入したマイクロカプセルの径をふるい分けにより４０μｍ程度に揃えた。
【００１８】
（電気泳動マイクロカプセル塗工液の作成）
得られたマイクロカプセルと、ポリウレタン樹脂溶液（ニッポラン５０３７、日本ポリ
ウレタン工業社製）とを混合して、電気泳動マイクロカプセル塗工液を作成した（図１参照）。
【００１９】
（マスクの作成）
金属のプレートにバーコードのバー又はスペースの最も細い幅をピッチとし、筋状に開口を形成する。金属プレートへの開口は、ＣＯ2レーザー加工機により加工を行ったり、エッチング法により開口加工する方法などがある。
【００２０】
（識別コード表示パネル）
本発明の識別コード表示パネルの基本的な形成工程を以下に示すものである。図２に示すように、絶縁基板に前記のようにバーコードのバー又はスペースの最も細い幅をピッチとする筋状の開口を有する金属プレートであるマスクを重ね合わせ、真空装置内でＩＴＯターゲットから放射されるＩＴＯにより、絶縁基板表面にバーコードのバー又はスペースの最も細い幅をピッチとする筋状のＩＴＯ薄膜を形成する。
【００２１】
次に筋状のＩＴＯ薄膜面状に前記電気泳動マイクロカプセル塗工液を、例えばリップコータ等を用い、電気泳動マイクロカプセルが１層に並ぶように塗工する。さらに塗工された電気泳動マイクロカプセル表面に絶縁基板上片面に導電性膜が形成された導電性基材をラミネートして貼り合わせ、図３に示す積層構造の識別コード表示パネルを形成する。
【００２２】
（識別コード切替え装置）
識別コードとなる文字情報の入力機能、例えばアルファベットや数値を入力できるキーボード入力装置を備えている。また前記入力装置で入力された文字情報をバー情報に変換する演算装置を備えている。さらに前記識別表示パネルの筋状ＩＴＯ薄膜に対し、対となるコネクターを有し、識別コード表示パネルのコネクターと接続した際に、電気泳動マイクロカプセルに電荷を印加する装置を備えている。そして識別コード切替え装置によって、必要な識別コードを表示切替できる。
【図面の簡単な説明】
【００２３】
【図１】本発明に係る電気泳動マイクロカプセル塗工液の調液を示す説明図である。
【図２】本発明に係る筋状導電性薄膜形成工程を示す説明図である。
【図３】本発明に係る識別コード表示パネルの積層図である。
【図４】本発明に係る識別コード表示体の説明図。
【図５】本発明に係る電気泳動マイクロカプセルの模式断面図である。
【符号の説明】
【００２４】
１…透明機材
２…保護フィルム
３…ブラック用ラインコートヘッド
４…導電性フィルム
５…表示パネル
１２…白色粒子
１３…ブラック着色粒子
２０…バインダー溶剤
３３…ブラック用電極
４４…ブラック表示マイクロカプセル
５１…絶縁基材
５２…筋状導電性膜
５３…シール材
５４…導電性膜
５８…マスク
５９…ＩＴＯターゲット
６１…真空装置
７１…識別コード切替え装置
７２…識別コード表示パネル
７３…識別コード表示パネルコネクター
７４…識別コード切替え装置コネクター
（Ａ）…文字情報入力機能
（Ｂ）…バー情報演算機能
（Ｃ）…電気泳動マイクロカプセル駆動機能
【図１】
2008224838.tif 000003
【図２】
2008224838.tif 000004
【図３】
2008224838.tif 000005
【図４】
2008224838.tif 000006
【図５】
2008224838.tif 000007